(57)【特許請求の範囲】
【請求項１】
車室部よりも車体前方に配設されたラジエータシュラウドと、前辺部、後辺部及び左右一対の側辺部によって略矩形枠状に形成されて、前端部が上記ラジエータシュラウド下部に取り付けられる一方、該各側辺部の後端部が車室部下部において車体前後方向に延びて配設される左右一対の各フロアフレームの前端部に取り付けられると共に、パワートレインを支持するペリメータフレームと、上記ラジエータシュラウドと車室部との間に設けられ、左右一対の各サスペンションダンパの上端部が取り付けられる左右一対のサスペンション支持部と、上記左右一対の側辺部それぞれに取り付けられて前輪を支持する左右一対のサスペンションアームとを備える車体前部構造であって、
左右それぞれの側において、
上記各サスペンション支持部から車体前方斜め下方に延びて、上記ペリメータフレームの各側辺部と上記各サスペンションアームとの結合部よりも車体前後方向における前方位置で該側辺部に結合される前側サスタワーメンバと、
上記各サスペンション支持部から車体後方斜め下方に延びて、上記ペルメータフレームの各側辺部と上記各サスペンションアームとの結合部よりも車体前後方向における後方位置で該側辺部に結合される後側サスタワーメンバと、
上記各サスペンション支持部から車体後方斜め下方に延びて、上記ペリメータフレームの各側辺部の後端部に結合される第２のサスタワーメンバと、
上記各サスペンション支持部から車体前方に延びて、上記ラジエータシュラウド上部に結合される第１前側アッパフレームと、
上記各サスペンション支持部から車体後方に延びて、車室部の前端部を構成するカウル部に結合される後側アッパフレームと、
上記各サスペンション支持部から車体前方に延びて、上記ラジエータシュラウドと上記第１前側アッパフレームとの結合部よりも下方位置で該ラジエータシュラウドに結合される第２前側アッパフレームとをさらに備えることを特徴とする車体前部構造。
【請求項２】
請求項１に記載の車体前部構造において、
車幅方向に延びて、その両端部それぞれが上記左右一対の各側辺部と上記後側サスタワーメンバとの結合部と車体前後方向において同じ位置で該各側辺部に結合されると共に、上記パワートレインの支持マウントが取り付けられる底部クロスメンバをさらに有することを特徴とする車体前部構造。
【請求項３】
請求項１又は２に記載の車体前部構造において、
上記各サスペンションアームは、上記各側辺部における上記各前側サスタワーメンバとの結合部と上記各後側サスタワーメンバとの結合部との間の部分にピボットを介して取り付けられることを特徴とする車体前部構造。
【発明の詳細な説明】
【技術分野】
【０００１】
本発明は、パワートレインを支持するペリメータフレームを備える車体前部構造に関するものである。
【背景技術】
【０００２】
従来より、ペリメータフレームを備える車体前部構造が知られている（特許文献１参照）。このペリメータフレームは平面視で略矩形枠状をした高剛性の部材であって、重量物であるパワートレインが支持される。そして、このペリメータフレームはボディに取り付けられている。
【０００３】
詳しくは、特許文献１に係る車体前部構造では、ペリメータフレームとボディとを、スペーサを介して剛結状態で連結したり、水平方向の揺動を規制する規制手段を内蔵するマウントゴムを介して連結したりしている。
【特許文献１】特開平８−４０３０１号公報
【発明の開示】
【発明が解決しようとする課題】
【０００４】
しかしながら、特許文献１に係る車体前部構造では、ペリメータフレームがスペーサ又はマウントゴムを介してボディに連結されているため、重量物であるパワートレインの荷重は、ペリメータフレームから、スペーサ又はマウントゴムとボディとを介してボディに設けられたサスペンション装置まで伝達することになる。このように、ペリメータフレームをボディに取り付けて、パワートレインの荷重がボディを介してサスペンション装置に伝達する構成においては、パワートレインの荷重がサスペンション装置に伝達するまでの経路が長くなる。それと同時に、ペリメータフレームとボディとを連結する必要があるため、パワートレインとサスペンション装置との間の結合剛性が低くなる。その結果、車両運転時の応答性が悪くなって車両の操縦性が低下してしまう。
【０００５】
本発明は、かかる点に鑑みてなされたものであり、その目的とするところは、パワートレインを支持するペリメータフレームを備えた車体前部構造において車両運転時の応答性を向上させることにある。
【課題を解決するための手段】
【０００６】
本発明は、パワートレインを支持するペリメータフレームと、サスペンションダンパの上端部が取り付けられるサスペンション支持部とを連結するようにしたものである。
【０００７】
第１の発明は、車室部よりも車体前方に配設されたラジエータシュラウドと、前辺部、後辺部及び左右一対の側辺部によって略矩形枠状に形成されて、前端部が上記ラジエータシュラウド下部に取り付けられる一方、該各側辺部の後端部が車室部下部において車体前後方向に延びて配設される左右一対の各フロアフレームの前端部に取り付けられると共に、パワートレインを支持するペリメータフレームと、上記ラジエータシュラウドと車室部との間に設けられ、左右一対の各サスペンションダンパの上端部が取り付けられる左右一対のサスペンション支持部と、上記左右一対の側辺部それぞれに取り付けられて前輪を支持する左右一対のサスペンションアームとを備える車体前部構造が対象である。
【０００８】
そして、左右それぞれの側において、上記各サスペンション支持部から車体前方斜め下方に延びて、上記ペリメータフレームの各側辺部と上記各サスペンションアームとの結合部よりも車体前後方向における前方位置で該側辺部に結合される前側サスタワーメンバと、上記各サスペンション支持部から車体後方斜め下方に延びて、上記ペルメータフレームの各側辺部と上記各サスペンションアームとの結合部よりも車体前後方向における後方位置で該側辺部に結合される後側サスタワーメンバと、上記各サスペンション支持部から車体後方斜め下方に延びて、上記ペリメータフレームの各側辺部の後端部に結合される第２のサスタワーメンバと、上記各サスペンション支持部から車体前方に延びて、上記ラジエータシュラウド上部に結合される第１前側アッパフレームと、上記各サスペンション支持部から車体後方に延びて、車室部の前端部を構成するカウル部に結合される後側アッパフレームと、上記各サスペンション支持部から車体前方に延びて、上記ラジエータシュラウドと上記第１前側アッパフレームとの結合部よりも下方位置で該ラジエータシュラウドに結合される第２前側アッパフレームとをさらに備えるものとする。
【０００９】
上記の構成の場合、前方衝突時にラジエータシュラウドに作用する衝突荷重は、第１前側アッパフレームと後側アッパフレームとを介してカウル部に効果的に伝達されると共に、該ラジエータシュラウドに作用する衝突荷重は、ペリメータフレームを介して車室部下部に効果的に伝達される。このように衝突荷重を車室部の上部と下部とに分散させて伝達させることができ、衝撃吸収性を向上させることができる。その結果、車室部の変形を可及的に抑制することができる。
【００１０】
また、第２前側アッパフレームを設けることによって、側面視で、第１前側アッパフレームと第２前側アッパフレームとラジエータシュラウドとで略三角形が形成されるため、ラジエータシュラウド、第１前側アッパフレーム、第２前側アッパフレーム、及びペリメータフレームの前側部分で構成される、サスペンション支持部よりも車体前方のフレーム構成体の剛性を向上させることができる。
【００１１】
また、上下のフレームは、前側サスタワーメンバ、後側サスタワーメンバ及び第２のサスタワーメンバによって連結されることになるため、いわゆるトラス構造となって、サスペンション支持部の補強のみならず、全体的な高剛性化、特に高いねじり剛性を確保することができる。さらには、上記ペリメータフレームや第１前側アッパフレームや前側サスタワーメンバ等のフレーム部材による所謂スペースフレーム構造となっているため、全体として高い剛性を保持しつつ軽量化を図ることができる。
【００１２】
さらに、ペリメータフレームが前側サスタワーメンバと後側サスタワーメンバとによってサスペンション支持部に連結されているため、最重量物であるパワートレインの荷重を、ペリメータフレームからサスタワーメンバを介してサスペンションダンパにより直接的に作用させて、車両運転時の応答性を大きく向上させることができる。それに加えて、ラジエータシュラウド、ペリメータフレーム、前側サスタワーメンバ、後側サスタワーメンバ、第２のサスタワーメンバ、第１前側アッパフレーム、第２前側アッパフレーム及び後側アッパフレームによって構成されるフレーム構造体にサスペンション支持部が支承されているため、パワートレインとサスペンションダンパとの結合剛性を向上させることができ、パワートレインの荷重をサスペンションダンパにより直接的に作用させて、車両運転時の応答性をさらに向上させることができる。また、前側サスタワーメンバと後側サスタワーメンバと側辺部とによって上記サスペンション支持部を頂点とする三角形状のトラスが形成されて、ペリメータフレームとサスペンションダンパとの結合剛性を向上させることができ、その結果、ペリメータフレームに作用するパワートレインの荷重をサスペンションダンパにより直接的に伝達させることができる。さらにまた、上記前側サスタワーメンバと後側サスタワーメンバとサスペンションダンパとサスペンションアームとによって上記サスペンション支持部を頂点とする三角錐が形成されるため、高剛性のサスペンション装置を形成することができ、その結果、ペリメータフレームに作用するパワートレインの荷重をサスペンションダンパにより直接的に伝達させることができる。また、第２のサスタワーメンバによってペリメータフレームとサスペンションダンパとの結合剛性をさらに向上させることができると共に、車両衝突時には上記サスペンション支持部に作用する衝突荷重を第２のサスタワーメンバを介して車室部下部のフロアフレームに伝達させることができ、その結果、衝突荷重をフロアフレームに分散させることができるため、衝突荷重による車室部の変形を可及的に抑制することができる。
【００１３】
第２の発明は、第１の発明において、車幅方向に延びて、その両端部それぞれが上記左右一対の各側辺部と上記後側サスタワーメンバとの結合部と車体前後方向において同じ位置で該各側辺部に結合されると共に、上記パワートレインの支持マウントが取り付けられる底部クロスメンバをさらに有するものとする。
【００１４】
上記の構成の場合、支持マウントを介して底部クロスメンバに作用したパワートレインの荷重は、該底部クロスメンバの両端部から各側辺部に伝達する。そして、各側辺部の、底部クロスメンバの両端部が取り付けられている部分は、上記サスタワーメンバが側辺部に結合されている部分と車体前後方向において同じ位置であるため、側辺部に伝達するパワートレインの荷重は、サスタワーメンバを介してサスペンション支持部へ効率よく伝達する。つまり、パワートレインの荷重がサスペンションダンパまで伝達する距離を可及的に短くすることによって、パワートレインの荷重をサスペンションダンパにより直接的に作用させて、車両運転時の応答性を向上させることができる。
【００１５】
第３の発明は、第１又は第２の発明において、上記各サスペンションアームは、上記各側辺部における上記各前側サスタワーメンバとの結合部と上記各後側サスタワーメンバとの結合部との間の部分にピボットを介して取り付けられるものとする。
【００１６】
上記の構成の場合、上記前側サスタワーメンバと後側サスタワーメンバとサスペンションダンパとサスペンションアームとによって上記サスペンション支持部を頂点とする略四角錐が形成されるため、高剛性のサスペンション装置を形成することができ、その結果、ペリメータフレームで支えるパワートレインの荷重をサスペンションダンパにより直接的に作用させることができる。
【００１７】
別の車体前部構造は、前辺部、後辺部及び左右一対の側辺部を有して略矩形枠状に形成され且つ後端部が車室部下部に取り付けられると共に、パワートレインを支持するペリメータフレームと、左右一対の各サスペンションダンパの上端部が取り付けられる左右一対のサスペンション支持部と、上記左右一対の側辺部それぞれに取り付けられて前輪を支持する左右一対のサスペンションアームとを備えている。
【００１８】
そして、左右それぞれの側において上記ペリメータフレームの各側辺部と上記各サスペンション支持部とを連結するサスタワーメンバをさらに備えるものとする。
【００１９】
上記の構成の場合、最重量物であるパワートレインの荷重を、ペリメータフレームからサスタワーメンバを介してサスペンション支持部に伝達させることによって、パワートレインの荷重がサスペンションダンパにより直接的に作用するため、車両運転時の応答性を大きく向上させることができる。
【００２０】
上記各サスタワーメンバは、左右それぞれの側で、上記各サスペンション支持部から車体前方斜め下方に延びて上記各側辺部に結合される前側サスタワーメンバと、上記各サスペンション支持部から車体後方斜め下方に延びて上記各側辺部に結合される後側サスタワーメンバとを有していてもよい。
【００２１】
上記の構成の場合、前側サスタワーメンバと後側サスタワーメンバと側辺部とによって上記サスペンション支持部を頂点とする三角形状のトラスが形成されて、ペリメータフレームとサスペンションダンパとの結合剛性を向上させることができ、その結果、ペリメータフレームで支えるパワートレインの荷重をサスペンションダンパにより直接的に作用させることができる。
【００２２】
上記車室部下部には車体前後方向に延びて配設される左右一対のフロアフレームが設けられており、上記ペリメータフレームの後端部は、上記左右一対のフロアフレームの前端部に取り付けられており、左右それぞれの側において、上記各サスペンション支持部から車体後方斜め下方に延びて該ペリメータフレームの後端部に結合される第２のサスタワーメンバをさらに備えていてもよい。
【００２３】
上記の構成の場合、サスペンション支持部と側辺部とが上記第２のサスタワーメンバによってさらに連結されるため、ペリメータフレームとサスペンションダンパとの結合剛性をさらに向上させることができる。それに加えて、車両衝突時には上記サスペンション支持部に作用する衝突荷重を第２のサスタワーメンバを介して車室部下部のフロアフレームに伝達させることができ、その結果、衝突荷重をフロアフレームに分散させることができるため、衝突荷重による車室部の変形を可及的に抑制することができる。
【発明の効果】
【００２４】
本発明によれば、パワートレインを支持するペリメータフレームと、サスペンションダンパの上端部が取り付けられるサスペンション支持部とを、サスタワーメンバで連結することによって、パワートレインの荷重がサスペンションダンパへより直接的に作用するため、車両運転時の応答性を大きく向上させることができる。
【発明を実施するための最良の形態】
【００２５】
以下、本発明の実施形態を図面に基づいて詳細に説明する。
【００２６】
図１〜３には、本発明の実施形態に係る車体前部構造を採用した車体の概略図を示す。符号１は車室を、符号２は車室１の車体前方に位置するエンジンルームを示す。尚、本明細書においては、車両前後方向における前方を単に前方と、車両前後方向における後方を単に後方ともいう。
【００２７】
この車室１は、所謂モノコック構造のボディによって区画されている。すなわち、車室１を区画するボディは、複数枚の板金を結合することによって全体として応力を分散して吸収する構造として構成され、強度が要求される部分は、板金を結合して閉断面構造とすることにより、部分的な強度も十分に確保されている。
【００２８】
この車室１の下部には水平方向に拡がるフロアパネル１１が設けられており、このフロアパネル１１によって車室１の下側が区画されている。このフロアパネル１１の車幅方向両端部には前後方向に延びる左右一対のサイドシル１２、１２が設けられている。また、サイドシル１２、１２の車幅方向内方位置には、前後方向に延びる左右一対のフロアフレーム１３、１３がフロアパネル１１の下面に車室外側から結合されている。このフロアフレーム１３、１３の前端部は、後述のダッシュパネル１４の下端部まで延設されている。
【００２９】
また、車室１の前部には、フロアパネル１１の前端部から立設するダッシュパネル１４が設けられており、このダッシュパネル１４によって車室１とエンジンルーム２とが区画されている。このダッシュパネル１４の車幅方向両端部には上下方向に延びる左右一対のヒンジピラー１５、１５が設けられており、このヒンジピラー１５、１５の下端部は、左右それぞれのサイドシル１２、１２の前端部と結合されている。また、ダッシュパネル１４の上端部には車幅方向に延びるカウルボックス１６が設けられており、このカウルボックス１６の両端部は、それぞれ左右のヒンジピラー１５、１５の上端部と結合されている。さらに、ヒンジピラー１５、１５の上端部には、後方斜め上方に延びるフロントピラー１７、１７（図２では図示省略）の下端部が結合されている。
【００３０】
エンジンルーム２の前端部には、ラジエータ（図示省略）を支持するためのラジエータシュラウド２１が設けられている。このラジエータシュラウド２１は、車幅方向に延びる上辺部としての上側フレーム２１ａと、この上側フレーム２１ａの下方において上側フレーム２１ａと平行に延びる下辺部としての下側フレーム２１ｂと、上下方向に延びて上側フレーム２１ａ及び下側フレーム２１ｂの各端部に結合される左右一対の縦辺部として縦フレーム２１ｃ、２１ｃとを有して、正面視で略矩形枠状に構成されている。また、縦フレーム２１ｃ、２１ｃの前面には、クラッシュカンを介してバンパレインフォースメント及びバンパが設けられている（図示省略）。このように、ラジエータシュラウド２１は、ラジエータの取付に好適な形状とされ且つ、前方衝突時に広い面積でもって衝突対象物（特に車高の高い大型車両）に当接可能なように設定されている。
【００３１】
上記ラジエータシュラウド２１とダッシュパネル１４とは、複数のフレーム部材を組み合わせて一種のスペースフレームを構成するフレーム構造体Ｆによって連結されている。
【００３２】
以下に、上記フレーム構造体Ｆについて詳しく説明する。
【００３３】
上記ラジエータシュラウド２１の下部とダッシュパネル１４の下部とはペリメータフレーム３によって連結されている。このペリメータフレーム３は、車幅方向に延びる前辺部としての前側フレーム３１と、この前側フレーム３１の後方において前側フレーム３１と平行に延びる後辺部としての後側フレーム３２と、前後方向に延びて前側フレーム３１及び後側フレーム３２の各端部に結合される左右一対の側辺部としての側辺フレーム３３、３３とを有して、平面視で略矩形枠状に構成されている。また、側辺フレーム３３、３３の前後方向中間部よりも前方の部分には、車幅方向に延びて該側辺フレーム３３、３３間に架設される前下側クロスメンバ３４が設けられている。一方、側辺フレーム３３、３３の前後方向中間部よりも後方の部分には、車幅方向に延びて該側辺フレーム３３、３３間に架設される後下側クロスメンバ３５が設けられている。この後下側クロスメンバ３５には、後述のパワートレインＰＴを支持する底部クロスメンバを構成する。
【００３４】
前端部である前側フレーム３１は、上記ラジエータシュラウド２１の下側フレーム２１ｂの下面に結合されている（図１参照）。一方、側辺フレーム３３、３３の後端部には、後方に突出する突出部３３ａ、３３ａが設けられており、この突出部３３ａ、３３ａが、それぞれ上記左右一対のフロアフレーム１３、１３の前端部に結合されている。つまり、左右の側辺フレーム３３、３３の間隔と、左右のフロアフレーム１３、１３の間隔とは略同じであって、左右それぞれの側において、各側辺フレーム３３と各フロアフレーム１３とが平面視で略一直線上に並ぶように結合されている（図２参照）。
【００３５】
各側辺フレーム３３の前後方向中間位置であって各側辺フレーム３３よりも上方位置には、左右一対の各サスペンション支持部２２が設けられている。この各サスペンション支持部２２は、後述するサスペンションダンパ６３の上端部を取り付けるための取付面部が上端部に設けられた筒状部材である。
【００３６】
そして、左右それぞれの側において、各サスペンション支持部２２とラジエータシュラウド２１の上側フレーム２１ａの長手方向の端部とが、前後方向に延びる第１前側アッパフレーム４１によって連結されている。この各第１前側アッパフレーム４１は、後方に向かうにつれて、上方且つ車幅方向外方に位置するように傾斜している。また、各サスペンション支持部２２とカウルボックス１６の車幅方向の各端部とが、前後方向に延びる後側アッパフレーム４２によって連結されている。この各後側アッパフレーム４２は、後方に向かうにつれて、上方且つ車幅方向外方に位置するように傾斜している。このとき、各後側アッパフレーム４２は、後方に向かうにつれて、上記各第１前側アッパフレーム４１よりも車体幅方向外方に大きく傾斜している（図２参照）。尚、各後側アッパフレーム４２の後端部は、各ヒンジピラー１５の上端部に接合されるように構成してもよい。
【００３７】
また、左右それぞれの側において、各サスペンション支持部２２と各側辺フレーム３３とは、前側サスタワーメンバ４３、第１後側サスタワーメンバ４４及び第２後側サスタワーメンバ４５によって連結されている。これら前側サスタワーメンバ４３及び第１後側サスタワーメンバ４４がサスタワーメンバを構成し、第２後側サスタワーメンバ４５が第２のサスタワーメンバを構成する。
【００３８】
詳しくは、上記各前側サスタワーメンバ４３は、下方に向かうにつれて前方且つ車幅方向内方に位置するように傾斜しており、その下端部は、各側辺フレーム３３と上記前下側クロスメンバ３４との結合部と前後方向において同じ位置で、該側辺フレーム３３の車幅方向外側面に結合されている。
【００３９】
上記各第１後側サスタワーメンバ４４は、下方に向かうにつれて後方且つ車幅方向内方に位置するように傾斜している。そして、第１後側サスタワーメンバ４４の下端部は、各側辺フレーム３３と上記後下側クロスメンバ３５との結合部と前後方向において同じ位置で、該側辺フレーム３３の上面に結合されている。
【００４０】
上記各第２後側サスタワーメンバ４５は、下方に向かうに連れて後方且つ車幅方向内方に位置するように傾斜しており、その下端部は、各側辺フレーム３３の後端部に結合されている。
【００４１】
さらにまた、左右それぞれの側において、各サスペンション支持部２２とラジエータシュラウド２１の縦フレーム２１ｃとは、第２前側アッパフレーム４７によって連結されている。この各第２前側アッパフレーム４７は、前側に向かうにつれて下方且つ車幅方向内方に位置するように傾斜していて、各縦フレーム２１ｃの上下方向略中間部分に連結されている。
【００４２】
また、左右のサスペンション支持部２２、２２は、車幅方向に延びる連結クロスメンバ４８によって連結されている。さらに、この連結クロスメンバ４８には、その車幅方向中間部分とカウルボックス１６の車幅方向の両端部とをそれぞれ連結する左右一対の補強メンバ４９、４９が設けられている。この各補強メンバ４９は、後方に向かうにつれて上方且つ車幅方向外方に位置するように傾斜している。
【００４３】
このように、各サスペンション支持部２２に結合される、各第１前側アッパフレーム４１、各第２前側アッパフレーム４７、各後側アッパフレーム４２、各前側サスタワーメンバ４３、各第１後側サスタワーメンバ４４、各第２後側サスタワーメンバ４５及び連結クロスメンバ４８は、図１に示すように、サスペンション支持部２２の側周面に結合され手いると共に、各フレーム及びメンバの軸線は、図２に示すように、平面視で、サスペンション支持部２２の中心に集合している。すなわち、各フレーム及びメンバは、それぞれの軸線が筒状部材であるサスペンション支持部２２の中心軸と交差するように、円筒部材の側周面に結合されている。こうすることによって、各フレーム及びメンバ間での衝突荷重の伝達が容易に行われる。
【００４４】
上記の如く、フレーム構造体Ｆに支承されたサスペンション支持部２２、２２には、図１に示すように、左右一対のサスペンション装置６、６が配設されている。各サスペンション装置６は、前輪を支持する車輪支持部材１８とフレーム構造体Ｆとを連結するサスペンションアームとしてのロアアーム６１と、サスペンションダンパ６３と、コイルスプリング６４とを有する。
【００４５】
上記各ロアアーム６１は、前側ロアアーム６１ａ及び後側ロアアーム６１ｂの２本のアームが一体に形成されている。この前側ロアアーム６１ａは、車幅方向に延びて形成され、車幅方向外端部は車輪支持部材１８に連結される一方、車幅方向内端部は側辺フレーム３３に連結されている。また、後側ロアアーム６１ｂは、前側ロアアーム６１ａの車幅方向略中間部から斜め後方へ向かって延びて、車幅方向内端部は側辺フレーム３３に連結されている。詳しくは、前側ロアアーム６１ａの車幅方向内端部には前後方向に延びる円筒状の弾性ブッシュ６１ｃが設けられており、この弾性ブッシュ６１ｃが側辺フレーム３３に設けられたブラケット３３ｂに対して前後方向軸回りに回動可能に軸支されている。また、後側ロアアーム６１ｂの車幅方向内端部には鉛直方向に延びる円筒状の弾性ブッシュ６１ｄが設けられており、この弾性ブッシュ６１ｄが側辺フレーム３３に設けられたブラケット３３ｃに対して鉛直方向軸回りに回動可能に軸支されている。これら弾性ブッシュ６１ｃ、６１ｄとブラケット３３ｂ、３３ｃによってピボットが構成される。こうして、各ロアアーム６１は、各側辺フレーム３３に対して、上記前側サスタワーメンバ４３の下端部との結合部と上記第１後側サスタワーメンバ４４の下端部との結合部との間の位置にで、前後方向軸回り及び鉛直方向軸回りに所定量だけ回動可能に支持されている。
【００４６】
上記サスペンションダンパ６３は、上端部が上記サスペンション支持部２２、２２に支持されると共に、下方に向かうにつれて車幅方向外方に位置するように傾斜して配設され、下端部が連結部材１８ａを介して車輪支持部材１８に連結されている。さらに詳しくは、サスペンションダンパ６３の上端部にはアッパシート（図示省略）が設けられており、このアッパシートを介してサスペンションダンパ６３の上端部がサスペンション支持部２２に連結されている。一方、サスペンションダンパ６３の中間部にはロアシート（図示省略）が設けられていて、このロアシートと上記アッパシートとの間にコイルスプリング６４が配設されている。
【００４７】
このようにフレーム構造体Ｆが形成されたエンジンルーム２内には、ラジエータシュラウド２１にラジエータが配設されると共に、ラジエータの後方に左右２つのファンを有するラジエータファンＲＦが配設されている（図２参照）。また、ラジエータファンＲＦの後方斜め上方には、左側にエアクリーナＣが、右側にバッテリＢが配設されている。さらに、これら、ラジエータファンＲＦ、エアクリーナＣ及びバッテリＢの後方にはパワートレインＰＴが配設されている。
【００４８】
上記パワートレインＰＴは、前側にロータリーエンジン（以下、単にエンジンという。）Ｅが、後側にトランスミッションＴが配設されるように縦置きに配設されている。このエンジンＥには、図４、５に示すように、車幅方向両側面にマウントブラケット７１、７１が設けられており、各マウントブラケット７１には支持マウントとしてのマウントラバー７２が取り付けられている。そして、このマウントラバー７２を上記後下側クロスメンバ３５に取り付けることによって、エンジンＥが後下側クロスメンバ３５に支持される。
【００４９】
詳しくは、マウントブラケット７１は、このマウントブラケット７１をエンジンＥに取り付けるためのフランジ７１ａ、７１ａが設けられていると共に、マウントラバー７２を取り付けるフランジ７１ｂが設けられている。このフランジ７１ｂには、後述するマウントラバー７２の係合凸部７２ｃと係合する係合凹部７１ｃが形成されている。このように構成されたマウントブラケット７１は、フランジ７１ａ、７１ａをエンジンＥにボルト締結することによってエンジンＥに取り付けられる。
【００５０】
また、マウントラバー７２は、円筒状のラバー部材であって、このマウントラバー７２を後下側クロスメンバ３５に取り付けるためのフランジ７２ａ、７２ａが設けられていると共に、マウントブラケット７１を取り付けるための取付部７２ｂが設けられている。この取付部７２ｂには、係合凸部７２ｃが形成されている。このように構成されたマウントラバー７２は、係合凸部７２ｃをマウントブラケット７１の係合凹部７１ｃに係合させると共に、取付部７２ｂをマウントブラケット７１のフランジ７１ｂにボルト締結することによって、エンジンＥに取り付けられる。そして、フランジ７２ａ、７２ａを後下側クロスメンバ３５にボルト締結することによって、エンジンＥが後下側クロスメンバ３５に取り付けられる。
【００５１】
こうして、パワートレインＰＴがペリメータフレーム３に支持される。尚、パワートレインＰＴは、上述のエンジンＥだけでなく、トランスミッションＴの後端部、及びトランスミッションＴとプロペラシャフト（図示省略）を介して連結されているリアディファレンシャル（図示省略）が車体に対して支持されている。
【００５２】
尚、上述の各フレーム部材や各メンバ部材との結合は、ボルト結合や溶接等の公知の結合方法を採用することができる。
【００５３】
このように、上記実施形態によれば、パワートレインＰＴをペリメータフレーム３に支持すると共に、このペリメータフレーム３を前側サスタワーメンバ４３、第１後側サスタワーメンバ４４及び第２後側サスタワーメンバ４５によってサスペンション支持部２２に連結することによって、上記特許文献１に係る車体前部構造のように重量物であるパワートレインＰＴの荷重がペリメータフレームから、スペーサ（又はマウントゴム）とボディとを介してサスペンション装置６に伝達する構成と比較して、パワートレインＰＴの荷重がサスペンション装置６まで伝達する経路が短くなり、該荷重が各サスタワーメンバ４３〜４５を介してサスペンション支持部２２に直接的に作用するため、車両運転時の応答性を大きく向上させることができる。また、これら前側サスタワーメンバ４３、第１後側サスタワーメンバ４４及び第２後側サスタワーメンバ４５は、ペリメータフレーム３とサスペンション支持部２２とを連結するだけでなく、第１前側アッパフレーム４１と後側アッパフレーム４２とからなる上側フレーム部とペリメータフレーム３からなる下側フレーム部との間隔を保持する補強部材としても機能するため、車両衝突時に上側フレーム部や下側フレーム部が屈曲することを可及的に抑制することができる。
【００５４】
特に、上記実施形態では、パワートレインＰＴを支持する後下側クロスメンバ３５の両端部が側辺フレーム３３に結合している部分と前後方向において同じ位置で第１後側サスタワーメンバ４４の下端部を側辺フレーム３３に結合することによって、該パワートレインＰＴの荷重がサスペンション装置６へより直接的に作用するため、車両運転時の応答性を向上させることができる。
【００５５】
また、前側サスタワーメンバ４３と第１後側サスタワーメンバ４４と側辺フレーム３３とで三角形状のトラスを形成することによって、ペリメータフレーム３とサスペンション支持部２２との結合剛性を向上させることができる。その結果、パワートレインＰＴの荷重がサスペンション装置６へより直接的に且つ確実に作用するため、車両運転時の応答性を向上させることができると共に、サスペンション支持部２２の支持剛性、ひいてはサスペンションダンパ６３の支持剛性が向上するため、操縦安定性を向上させることができる。また、図１、２に示すように、前側サスタワーメンバ４３の下端部は、側辺フレーム３３の車幅方向外側面に結合されているのに対し、第１後側サスタワーメンバ４４の下端部は側辺フレーム３３の上面に結合されている。つまり、前側サスタワーメンバ４３の下端部と第１後側サスタワーメンバ４４の下端部とは車幅方向において少しずれているため、サスペンション支持部２２を三次元的に支承することができ、両下端部を車幅方向において同一位置に設定した場合と比較して、サスペンション支持部２２の支持剛性を向上させることができる。
【００５６】
さらに、第２後側サスタワーメンバ４５を設けることによって、ペリメータフレーム３とサスペンションダンパ６３との結合剛性をさらに向上させることができるだけでなく、エンジンルーム２の前後方向幅が長い場合等においてサスペンション支持部２２からダッシュパネル１４までの距離が長くなっても、サスペンション支持部２２よりも後方のフレーム構造体Ｆ（即ち、後側アッパフレームや側辺フレーム３３の後半分）の強度を補強することができる。また、車両衝突時には、サスペンション支持部２２に作用する衝突荷重を、側辺フレーム３３の後端部に伝達させて、該衝突荷重をフロアフレーム１３、１３に分散させることができ、その結果、衝突荷重によるダッシュパネル１４の車室側への変形を可及的に抑制することができる。
【００５７】
さらにまた、ロアアーム６１を、側辺フレーム３３における前側サスタワーメンバ４３との結合部と第１後側サスタワーメンバ４４との結合部との間の部分に取り付けることによって、前側サスタワーメンバ４３と第１後側サスタワーメンバ４４と側辺フレーム３３とロアアーム６１とサスペンションダンパ６３とにより略四角錐が形成されるため、サスペンションダンパ６３の支持剛性を向上させることができ、操縦安定性をさらに向上させることができる。
【００５８】
また、上記フレーム構造体Ｆは所謂スペースフレームを構成するため、車両衝突時には衝突荷重を各フレームやメンバを介して分散させて後方へ伝達させることができる。
【００５９】
この点について、図６を用いて、さらに詳しく説明する。尚、図６における矢印は衝突荷重の伝達方向を示す。
【００６０】
車両前方衝突時には、図示省略のバンパに衝突荷重が入力され、ラジエータシュラウド２１の前部に取り付けられたクラッシュカンが潰れて、該衝突荷重がラジエータシュラウド２１に作用する。
【００６１】
このラジエータシュラウド２１に作用する衝突荷重は、第１前側アッパフレーム４１及び第２前側アッパフレーム４７を介してフレーム構造体Ｆの上部に設けられたサスペンション支持部２２まで伝達される。また同時に、該衝突荷重は、ペリメータフレーム３の側辺フレーム３３を介してフレーム構造体Ｆの下部を通って車体後方へ伝達される。さらに、この側辺フレーム３３を介して後方へ伝達する衝突荷重の一部は、前側サスタワーメンバ４３を介してサスペンション支持部２２へ伝達される。このように、ラジエータシュラウド２１に作用する衝突荷重は、一部がフレーム構造体Ｆの上部（サスペンション支持部２２）へ、残りがフレーム構造体Ｆの下部（ペリメータフレーム３）へ上下に分散して伝達される。
【００６２】
上記衝突荷重が大きいと、フレーム構造体Ｆのうちサスペンション支持部２２よりも前方の部分は大きく変形する。尚、このとき、フレーム構造体Ｆのうちサスペンション支持部２２よりも後方の部分はほとんど変形しない。
【００６３】
詳しくは、フレーム構造体Ｆの前部側方においては、第１前側アッパフレーム４１と第２前側アッパフレーム４７とラジエータシュラウド２１の縦フレーム２１ｃとで三角形が形成されているため、衝突時には、ラジエータシュラウド２１が単に後方へ変位するように変形するのではなく、上記三角形を維持しようして、第１前側アッパフレーム４１の前端部及び第２前側アッパフレーム４７の前端部が下方へ大きく曲げ変形され、それに合わせて、ペリメータフレーム３の側辺フレーム３３の前端部も下方へ大きく曲げ変形される。こうして、第１前側アッパフレーム４１、第２前側アッパフレーム４７及び側辺フレーム３３の前端部が下方へ変形することによって、サスペンション支持部２２を相対的に上方へ変位させる。つまり、第１前側アッパフレーム４１と第２前側アッパフレーム４７とラジエータシュラウド２１の縦フレーム２１ｃとで形成される三角形によって、フレーム構造体Ｆ前部の強度が補強されていると共に、衝突荷重が大きくて、フレーム構造体Ｆの前部が潰れるときには、単に後方へ潰れるのではなく、フレーム構造体Ｆの上下方向の間隔を押し広げながら後方へ潰れる。
【００６４】
そして、第１前側アッパフレーム４１、第２前側アッパフレーム４７及び前側サスタワーメンバ４３を介してサスペンション支持部２２へ伝達された衝突荷重の一部は、後側アッパフレーム４２を介してカウルボックス１６の車幅方向の各端部へ伝達される。このカウルボックス１６の車幅方向の各端部へ伝達された衝突荷重は、フロントピラー１７を介してルーフピラー（図示省略）等の車体上部へ伝達される。一方、サスペンション支持部２２へ伝達された衝突荷重の残りは、第１後側サスタワーメンバ４４及び第２後側サスタワーメンバ４５を介してペリメータフレーム３の側辺フレーム３３へ伝達される。この側辺フレーム３３は、後端部がフロアフレーム１３の前端部に連結されているため、側辺フレーム３３へ伝達した衝突荷重は、フロアフレーム１３へ伝達され、フロアフレーム１３を介して車体下部へ伝達される。このとき、第２後側サスタワーメンバ４５の下端部は側辺フレーム３３の後端部に結合されているため、第２後側サスタワーメンバ４５によって衝突荷重をサスペンション支持部２２からフロアフレーム１３へ直接的に伝達させることができる。
【００６５】
尚、図２に示すように、左右それぞれの第１前側アッパフレーム４１と後側アッパフレーム４２とは一直線状には連結されておらず、車幅方向内側に折れ曲がって連結されているため、前方から衝突荷重が伝達すると、第１前側アッパフレーム４１と後側アッパフレーム４２の連結部、即ちサスペンション支持部２２には、第１前側アッパフレーム４１と後側アッパフレーム４２とが車幅方向内方にさらに折れ曲がるように、車幅方向内方への力が作用する。この車幅方向内方への力は連結クロスメンバ４８によって吸収されると共に、連結クロスメンバ４８に取り付けられた補強メンバ４９、４９を介してカウルボックス１６の車幅方向の各端部へ伝達される。このように、サスペンション支持部２２に作用する衝突荷重の一部は、連結クロスメンバ４８で吸収されると共に、補強メンバ４９、４９を介してカウルボックス１６の車幅方向の各端部へ伝達される。
【００６６】
このように、衝突荷重を車体上側と下側とに分散して伝達させることによって、車室１の変形を可及的に抑制することができる。
【００６７】
《その他の実施形態》
本発明は、上記実施形態１について、以下のような構成としてもよい。
【００６８】
上記ペリメータフレームは、側辺フレームの後端部がフロアフレームの前端部に連結されているが、これに限られるものではない。つまり、後辺フレームがフロアフレームの前端部に結合される構成であってもよい。かかる場合は、第２後側サスタワーメンバの下端部が、サスペンション支持部に作用する衝突荷重が該第２後側サスタワーメンバを介してフロアフレームに伝達するように、後辺フレームとフロアフレームとの結合部と車幅方向において同じ位置で後辺フレームと結合されることが好ましい。ただし、側辺フレームの後端部とフロアフレームの前端部とが結合されて、該側辺フレームとフロアフレームとが連続した１本のフレーム状に配置される構成の方が、ペリメータフレームに作用する衝突荷重が、側辺フレームを介してフロアフレームに伝達されやすいため、好ましい。
【００６９】
また、上記サスペンション装置６は、車輪支持部材１８がロアアーム６１とサスペンションダンパ６３とによって支持されるストラット型サスペンションであるが、これに限られるものではなく、車輪支持部材１８をロアアームとアッパアームとによって支持し、該ロアアームとアッパアームとの間にサスペンションダンパを取り付けるダブルウィッシュボーン型サスペンションを採用してもよい。かかる場合であっても、ロアアームを前側サスタワーメンバ４３の下端部と第１後側サスタワーメンバ４４の下端部との間で側辺フレーム３３に支持することによって、前側サスタワーメンバ４３と第１後側サスタワーメンバ４４と側辺フレーム３３とロアアームとサスペンションダンパとにより略四角錐を形成して、サスペンションダンパの支持剛性を向上させることができる。
【００７０】
さらに、上記ロアアーム６１は、後側ロアアーム６１ｂの車幅方向内端部には鉛直方向に延びる円筒状の弾性ブッシュ６１ｄが設けられると共に、側辺フレーム３３に対して鉛直方向軸回りに回動可能に軸支されているが、これに限られるものではない。つまり、前側ロアアーム６１ａと同様に、後側ロアアーム６１ｂの車幅方向内端部には前後方向に延びる円筒状の弾性ブッシュが設けられ、この弾性ブッシュを介して側辺フレーム３３に対して前後方向軸回りに回動可能に軸支されるように構成してもよい。
【００７１】
また、上記実施形態では、サスタワーメンバとして、前側サスタワーメンバ４３及び第１後側サスタワーメンバ４４を採用しているが、これに限られるのもではない。すなわち、何れか１つのサスタワーメンバだけでもよいし、さらにサスタワーメンバを増設してもよい。
【産業上の利用可能性】
【００７２】
以上説明したように、本発明は、エンジンルーム内にペリメータフレームを有して、このペリメータフレームでパワートレインを支持する車体前部構造について有用である。
【図面の簡単な説明】
【００７３】
【図１】本発明の実施形態に係る車体前部構造の斜視図である。
【図２】車体前部構造の平面図である。
【図３】車体前部構造の側面図である。
【図４】エンジンの支持構造を示す要部斜視図である。
【図５】エンジンの支持マウントを示す展開斜視図である。
【図６】前方衝突時のフレーム構造体の変形の様子を示す側面図である。
【符号の説明】
【００７４】
ＰＴ    パワートレイン
１      車室
１３    フロアフレーム
１５    ヒンジピラー
２１    ラジエータシュラウド
２２    サスペンション支持部
３      ペリメータフレーム
３１    前側フレーム（前辺部）
３２    後側フレーム（後辺部）
３３    側辺フレーム（側辺部）
３３ｂ  ブラケット（ピボット）
３３ｃ  ブラケット（ピボット）
３５    後下側クロスメンバ（底部クロスメンバ）
４１    第１前側アッパフレーム
４２    後側アッパフレーム
４３    前側サスタワーメンバ（前側サスタワーメンバ）
４４    第１後側サスタワーメンバ（後側サスタワーメンバ）
４５    第２後側サスタワーメンバ（第２のサスタワーメンバ）
４７    第２前側アッパフレーム
６１    ロアアーム（サスペンションアーム）
６１ｃ  弾性ブッシュ（ピボット）
６１ｄ  弾性ブッシュ（ピボット）
６３    サスペンションダンパ
７２    マウントラバー（支持マウント）
【図１】
0004710536.tif 000002
【図２】
0004710536.tif 000003
【図３】
0004710536.tif 000004
【図４】
0004710536.tif 000005
【図５】
0004710536.tif 000006
【図６】
0004710536.tif 000007